(57)【要約】【課題】液晶ドライバが正常に動作しない等の不具合を減らし得る表示装置を提供すること。【解決手段】実施形態に係る表示装置は、画像を表示する表示部と、表示部に駆動信号を供給するドライバとを備え、ドライバは、複数の電源からドライバを駆動するための電源が供給されると、各電源の供給順序が、予め設定された所定の供給順序であるかどうかを判定し、所定の供給順序でないと判定された場合には、ドライバの状態を、各種コマンドを受け付けない状態のままとし、所定の供給順序であると判定された場合には、ドライバの状態を、ドライバに供給される各種コマンドを受け付け可能な状態に移行させる。【選択図】図６
2017009853.tif 000002
【特許請求の範囲】
【請求項１】
画像を表示する表示部と、
前記表示部に駆動信号を供給するドライバと
を具備し、前記ドライバは、
複数の電源から前記ドライバを駆動するための電源が供給されると、前記各電源の供給順序が、予め設定された所定の供給順序であるかどうかを判定し、
前記所定の供給順序でないと判定された場合には、前記ドライバの状態を、前記各種コマンドを受け付けない状態のままとし、
前記所定の供給順序であると判定された場合には、前記ドライバの状態を、前記ドライバに供給される各種コマンドを取り込み可能な状態に移行させる表示装置。
【請求項２】
前記ドライバは、
ロジック用の電源と前記ロジック用の電源とは異なるアナログ電源とからの電源供給を受けると、前記ロジック用の電源が最初に供給され、前記アナログ電源が前記ロジック用の電源に続いて供給されているかどうかを判定する、請求項１に記載の表示装置。
【請求項３】
前記ドライバは、
前記各電源の供給順序が前記所定の供給順序でないと判定された場合に、前記ドライバに各種コマンドを供給するプロセッサに対して、前記所定の供給順序で前記ドライバに電源を供給するよう前記各電源に指示させるためのリカバー信号を出力する、請求項１に記載の表示装置。
【請求項４】
前記ドライバは、
前記各電源の供給順序が途中から誤っていることにより前記所定の供給順序でないと判定された場合、正しい順序で供給された電源の供給は停止せずに、前記誤った順序で供給された電源を、正しい順序で前記ドライバに供給するよう指示させるための前記リカバー信号を前記プロセッサに対して出力する、請求項３に記載の表示装置。
【請求項５】
前記ドライバは、
前記各電源の供給順序が前記所定の供給順序であると判定された場合に、前記ドライバに各種コマンドを供給するプロセッサに対して、前記各種コマンドの供給を許可するための許可信号を出力する、請求項１に記載の表示装置。
【請求項６】
画像を表示する表示部と、
前記表示部に駆動信号を供給するドライバと、
前記ドライバ内に設けられ、アプリケーションプロセッサからのコマンドを受け付けるインタフェースレシーバと
を具備し、前記ドライバは、
バッテリから第１の電源を受け取り安定化したロジック電源を生成するレギュレータと、
前記バッテリから正極の第２の電源と、負極の第３の電源とを受け取り昇圧したアナログの正と負の電源を生成する昇圧回路と、
前記バッテリから出力される前記第１、第２及び第３の電源の供給状態を順序に従い判定し、供給順序が正しい場合にのみ前記インタフェースレシーバに前記アプリケーションプロセッサからのコマンドの受け付けを許可する監視回路とを備える、表示装置。
【請求項７】
前記昇圧回路は、さらに前記バッテリから正極の第４の電源と、負極の第５の電源とを受け取り、
前記監視回路は、前記バッテリから出力される前記第１乃至第５の電源の供給状態を順序に従い判定し、供給順序が正しい場合にのみ前記インタフェースレシーバに前記アプリケーションプロセッサからのコマンドの受け付けを許可する、請求項６に記載の表示装置。
【請求項８】
前記監視回路は、前記供給順序が異常である場合、前記アプリケーションプロセッサに対して、正しい順序で電源を供給するよう前記バッテリに指示させるためのリカバー信号を出力する、請求項６または請求項７に記載の表示装置。
【請求項９】
前記アプリケーションプロセッサは、前記リカバー信号を所定回数受信した場合に警告を発する、請求項８に記載の表示装置。
【発明の詳細な説明】
【技術分野】
【０００１】
本発明の実施形態は、表示装置に関する。
【背景技術】
【０００２】
一般的に、携帯端末（例えば、スマートフォンやＰＤＡ、タブレットコンピュータなど）には、液晶や有機ＥＬといった表示装置が設けられている。この表示装置の駆動信号制御は、携帯端末内の液晶ドライバによって行われる。この液晶ドライバには、ロジック電源やアナログ電源など、液晶ドライバ自体を駆動するための電源が適宜供給される。
【０００３】
この液晶ドライバに関しては、起動時等に複数種の電源が投入されるものとなるが、これら複数種の電源が予め定められた順序ではなく誤った順序で電源が投入されている場合がある。このとき当該液晶ドライバは、当該電源投入順が誤りであることを検出しているにも関わらず、スリープ状態を脱して（スリープアウトして）昇圧動作を開始してしまう場合がある。その結果、液晶ドライバ内の各部に不測の大電流が流れてしまい（ラッチアップが生じ）、液晶ドライバが正常に動作しない等の不具合を招く恐れがある。
【先行技術文献】
【特許文献】
【０００４】
【特許文献１】特開平８−２６４７９２号公報
【発明の概要】
【発明が解決しようとする課題】
【０００５】
本発明の一態様における目的は、液晶ドライバが正常に動作しない等の不具合を減らし得る表示装置を提供することである。
【課題を解決するための手段】
【０００６】
実施形態に係る表示装置は、画像を表示する表示部と、前記表示部に駆動信号を供給するドライバとを具備し、前記ドライバは、複数の電源から前記ドライバを駆動するための電源が供給されると、前記各電源の供給順序が、予め設定された所定の供給順序であるかどうかを判定し、前記所定の供給順序でないと判定された場合には、前記ドライバの状態を、前記各種コマンドを受け付けない状態のままとし、前記所定の供給順序であると判定された場合には、前記ドライバの状態を、前記ドライバに供給される各種コマンドを受け付け可能な状態に移行させる。
【０００７】
実施形態に係る表示装置は、画像を表示する表示部と、前記表示部に駆動信号を供給するドライバと、前記ドライバ内に設けられ、アプリケーションプロセッサからのコマンドを受け付けるインタフェースレシーバとを具備し、前記ドライバは、バッテリから第１の電源を受け取り安定化したロジック電源を生成するレギュレータと、前記バッテリから正極の第２の電源と、負極の第３の電源とを受け取り昇圧したアナログの正と負の電源を生成する昇圧回路と、前記バッテリから出力される前記第１、第２及び第３の電源の供給状態を順序に従い判定し、供給順序が正しい場合にのみ前記インタフェースレシーバに前記アプリケーションプロセッサからのコマンドの受け付けを許可する監視回路とを備える。
【図面の簡単な説明】
【０００８】
【図１】図１は、各実施形態が適用された携帯端末の全体ブロック図を示す構成図である。
【図２】図２は、図１の一部である主な回路ブロックを取り出して示す図である。
【図３】図３は、液晶表示パネルの第１の基板上の一部の等価回路を概略的に示す図である。
【図４】図４は、図３の画素ＰＸの等価回路を示す図である。
【図５Ａ】図５Ａは、ミューチュアル検出方式のタッチセンサＳＥの基本構成例を示す図である。
【図５Ｂ】図５Ｂは、液晶表示パネルにおいて、図５ＡのタッチセンサＳＥの駆動タイミングと表示期間との関係を示すタイミングチャートである。
【図６】図６は、第１の実施形態に係る液晶ドライバＩＣ１の内部のブロック構成例を示す図である。
【図７】図７は、図６の液晶ドライバＩＣ１の内部の電源供給部の構成例を示す図である。
【図８】図８は、図６の液晶ドライバＩＣ１の内部の監視回路の動作の一例を示すフローチャートである。
【図９】図９は、図６の液晶ドライバＩＣ１の内部の監視回路の動作の一例を補足するためのタイミングチャートである。
【図１０】図１０は、第２の実施形態に係る液晶ドライバＩＣ１の内部のブロック構成を示す図である。
【図１１】図１１は、図１０の液晶ドライバＩＣ１の内部の監視回路の動作の一例を示すフローチャートである。
【図１２】図１２は、図１０の液晶ドライバＩＣ１の内部の監視回路の動作の一例を補足するためのタイミングチャートである。
【図１３】図１３は、第２の実施形態の変形例を説明するためのブロック図である。
【発明を実施するための形態】
【０００９】
いくつかの実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実施の態様に比べて、各部の幅、厚さ、形状等について模式的に表される場合があるが、あくまで一例であって、本発明の解釈を限定するものではない。各図において、連続して配置される同一又は類似の要素については符号を省略することがある。また、本明細書と各図において、既出の図に関して前述したものと同一又は類似した機能を発揮する構成要素には同一の参照符号を付し、重複する詳細な説明を適宜省略することがある。
【００１０】
＜第１の実施形態＞  
図１は、各実施形態が適用された携帯端末の全体ブロック図を示す構成図である。図１において、タッチセンサ一体型の液晶表示パネルＬＣＤは、第１基板ＳＵＢ１と、第１基板ＳＵＢ１に対向配置された第２基板ＳＵＢ２と、第１基板ＳＵＢ１と第２基板ＳＵＢ２との間に形成された液晶層と、を備えている。なお、第１基板ＳＵＢ１をアレイ基板、第２基板ＳＵＢ２を対向基板と称しても良い。液晶表示パネルＬＣＤを駆動する液晶ドライバＩＣ１は、第１基板ＳＵＢ１上に搭載されている。液晶ドライバＩＣ１は、第１のＩＣチップ或いはドライブ回路と称されても良い。
【００１１】
液晶表示パネルＬＣＤは、その表示領域（アクティブエリアと称しても良い）ＤＡ内に、例えば容量変化検出型のタッチセンサＳＥを一体化して備えている。タッチセンサＳＥは、第１基板ＳＵＢ１に設けられた共通電極Ｃ（後述する）と第２基板ＳＵＢ２に設けられたタッチ検出電極（タッチ検出素子と称しても良い）Ｒｘとにより構成される。このタイプのタッチセンサＳＥは、インセル型と称される。インセル型のタッチセンサＳＥの動作原理については、後で説明することにする。なおタッチ検出素子Ｒｘは、液晶表示に支障を与えないように、透明な例えばＩＴＯ（インジウム・ティン・オキサイド）や太さ数ｎｍ〜数十ｎｍの金属細線を利用して形成することができる。
【００１２】
上記のタッチセンサＳＥは、液晶ドライバＩＣ１からの駆動信号により駆動され、その出力信号は、タッチパネルコントローラＩＣ２（第２のＩＣチップ或いはセンサ回路と称しても良い）により検出される。  
また、液晶表示パネルＬＣＤは、アプリケーションプロセッサ（第１の制御部と称しても良い）ＨＯＳに電気的に接続されている。より具体的には、アプリケーションプロセッサＨＯＳはフレキシブル配線基板ＦＰＣ１、液晶ドライバＩＣ１を介して液晶表示パネルＬＣＤに接続され、またフレキシブル配線基板ＦＰＣ２、タッチパネルコントローラＩＣ２を介してタッチセンサＳＥに接続されている。液晶ドライバＩＣ１とタッチパネルコントローラＩＣ２とは、タイミングパルスなどで互いに電気的に接続されており、同期している。なお液晶ドライバＩＣ１と、タッチパネルコントローラＩＣ２とは、同一チップ内に構成されても良い。
【００１３】
液晶表示パネルＬＣＤを照明するバックライトユニットＢＬは、第２基板ＳＵＢ２の下側に配置されている。フレキシブル配線基板ＦＰＣ３は、バックライトユニットＢＬとアプリケーションプロセッサＨＯＳとを接続している。
【００１４】
図２は、図１の一部である主な回路ブロックを取り出して示す。図２の破線で囲む部分が、第１基板ＳＵＢ１の部分である。第１基板ＳＵＢ１の非表示領域の例えば左側領域にゲート駆動回路ＧＤが形成されている。ゲート駆動回路ＧＤは、ゲート線Ｇ（Ｇ１〜Ｇｎ）を駆動するものである（ゲート線Ｇは図３に示されている）。また、ゲート駆動回路ＧＤに併設して共通電極駆動回路ＣＤが構成されている。共通電極駆動回路ＣＤは、共通電極ＣＥ（Ｃ１〜Ｃｎ）を駆動するものである（共通電極ＣＥは図３に示されている）。また、ソース選択回路（マルチプレクサと称される場合もある）ＭＵＰが第１基板ＳＵＢ１の下側の非表示領域に構成されている。なお、図２及び図３では、ゲート駆動回路ＧＤが片側に形成されている場合を例示したが、ゲート駆動回路ＧＤは、表示領域ＤＡを挟むようにして両側に形成されてもよい。この場合、一方に位置するゲート駆動回路ＧＤ（例えば、表示領域ＤＡの右側に位置するゲート駆動回路ＧＤ）が、複数のゲート線Ｇ１〜Ｇｎのうち、奇数行に位置するゲート線Ｇ１、Ｇ３、・・・を駆動し、もう一方に位置するゲート駆動回路ＧＤ（例えば、表示領域ＤＡの左側に位置するゲート駆動回路ＧＤ）が、複数のゲート線Ｇ１〜Ｇｎのうち、偶数行に位置するゲート線Ｇ２、Ｇ４、・・・を駆動する。
【００１５】
液晶ドライバＩＣ１は、ゲート駆動回路ＧＤ、共通電極駆動回路ＣＤなどを制御する。また液晶ドライバＩＣ１は、ソース選択回路ＭＵＰを介して表示領域ＤＡの画素ＰＥ（表示素子と称しても良い）に画素信号を書き込む。  
タッチパネルコントローラＩＣ２は、タッチ検出素子Ｒｘから得られたタッチ検出信号Ｒｘｓを処理し、液晶表示パネルＬＣＤの表示面に対するユーザの指などの被検知物の接触位置の座標データを得ることができる。液晶ドライバＩＣ１は、アプリケーションプロセッサＨＯＳと相互通信を行い、データの要求・受信などを行う。
【００１６】
アプリケーションプロセッサＨＯＳは、液晶ドライバＩＣ１に対して映像データ、コマンド、同期信号などを供給する。  
図３は、液晶表示パネルＬＣＤの第１基板ＳＵＢ１上の一部の等価回路を概略的に示す。液晶表示パネルＬＣＤは、画像を表示する表示領域ＤＡを備える。また、表示領域ＤＡを包囲して設けられる非表示領域に、ソース選択回路ＭＵＰ、ゲート駆動回路ＧＤ、共通電極駆動回路ＣＤ及びアウタリードボンディング（Outer Lead Bonding）のパッド群（以下、ＯＬＢパッド群と称する）ｐＧ１が形成されている。
【００１７】
液晶ドライバＩＣ１は、ソース選択回路ＭＵＰ、ゲート駆動回路ＧＤ、共通電極駆動回路ＣＤ及びＯＬＢパッド群ｐＧ１に接続されている。全てを図示しないが、液晶ドライバＩＣ１とゲート駆動回路ＧＤとはパネル制御信号を出力する制御線で接続されている。液晶ドライバＩＣ１は、制御線を介して制御スイッチング素子ＣＳＷ１に制御信号を与えることができる。
【００１８】
第１の基板ＳＵＢ１には、表示領域ＤＡにおいて、第１方向Ｘに沿って延出した複数のゲート線Ｇ（Ｇ１〜Ｇｎ）、第１方向Ｘに交差する第２方向Ｙに沿って延出した複数のソース線Ｓ（Ｓ１〜Ｓｍ）を備えている。また、複数のゲート線Ｇ（Ｇ１〜Ｇｎ）は、第２方向Ｙに所定の間隔で並べられている。複数のソース線Ｓ（Ｓ１〜Ｓｍ）も、第１方向に所定の間隔で並べられている。
【００１９】
また、表示領域ＤＡにおいて、平面視でゲート線Ｇとソース線Ｓとによって区画された領域に、画素ＰＸが形成される。すなわち、表示領域には、複数の画素ＰＸが第１方向Ｘ及び第２方向Ｙにマトリックス状に、ｍ×ｎ個配置されている（但し、ｍ及びｎは正の整数である）。さらにまた、第１方向Ｘに沿って、画素ＰＸの構成に含まれる共通電極Ｃ（Ｃ１・・・Ｃｎ）などが形成され、この共通電極Ｃ（Ｃ１・・・Ｃｎ）は、画素ＰＸ自体を駆動するための電極として利用されるとともに、後で説明するようにタッチセンサＳＥを駆動するための電極として利用される。
【００２０】
各ゲート線Ｇは、表示領域ＤＡの外側に引き出され、ゲート駆動回路ＧＤに接続されている。ゲート駆動回路ＧＤは、複数の制御スイッチング素子ＣＳＷ１を備え、ゲート線Ｇ（Ｇ１、Ｇ２、・・・Ｇｎ）は、制御スイッチング素子ＣＳＷ１に一対一で接続されている。
【００２１】
各ソース線Ｓ（Ｓ１〜Ｓｍ）は、平面視でゲート線Ｇ（Ｇ１、Ｇ２、・・・Ｇｎ）と交差している。ソース線Ｓは、第１方向Ｘに所定の間隔で並べられている。ソース線Ｓ（Ｓ１〜Ｓｍ）は、表示領域ＤＡの外側に引き出され、ソース選択回路ＭＵＰに接続されている。
【００２２】
共通電極Ｃ（Ｃ１、Ｃ２、・・・Ｃｎ）は、帯状に形成され、第１方向Ｘに延在し、第２方向Ｙに間隔を置いて並べられている。これにより、共通電極Ｃ（Ｃ１、Ｃ２、・・・Ｃｎ）は、ゲート線Ｇ（Ｇ１、Ｇ２、・・・Ｇｎ）に沿って延在し、ソース線Ｓ（Ｓ１〜Ｓｍ）と平面視で交差するものとなる。また、共通電極Ｃは、各画素領域に形成され、補助線によりこれらを連結した構成を採用することも可能である。なお、ここでは、共通電極Ｃがゲート線Ｇに沿って延在し、ソース線Ｓと平面視で交差する場合を例示したが、共通電極Ｃは、ソース線Ｓに沿って延在し、ゲート線Ｇと平面視で交差するように形成されてもよい。
【００２３】
共通電極ＣＥは、例えば複数本（例えば３本）毎に束ねられた分割電極であっても良い。例えば、共通電極Ｃ（Ｃ１〜Ｃｎ）は、（ｎ／３）個の分割電極Ｃ（Ｃ１〜Ｃｎ／３）として構成される。  
共通電極Ｃは、表示領域ＤＡの外側に引き出され、共通電極駆動回路ＣＤに接続されている。なお、ゲート線Ｇ、ソース線Ｓ及び共通電極ＣＥは、図示の如く直線的に延出していなくても良く、一部が屈曲していても良い。
【００２４】
ゲート駆動回路ＧＤは、ｎ個の制御スイッチング素子ＣＳＷ１を備える。ｎ個の制御スイッチング素子ＣＳＷ１は、それぞれ選択的にオン又はオフされて、対応する画素ＰＸへの画像信号の書き込み許可又は書き込み禁止を制御することができる。  
画素信号は、選択されているゲート線に接続されている複数の画素ＰＸにソース選択回路ＭＵＰを介して一斉に書き込まれる。
【００２５】
図４は、図３に示した画素ＰＸを示す等価回路図である。画素ＰＸは、第１基板ＳＵＢ１上に形成される画素スイッチング素子ＰＳＷ、透明な画素電極ＰＥ、透明な共通電極Ｃなどを備えている。画素スイッチング素子ＰＳＷは、例えばＴＦＴ（薄膜トランジスタ）で形成されている。画素スイッチング素子ＰＳＷは、ゲート線Ｇ及びソース線Ｓと電気的に接続されている。画素スイッチング素子ＰＳＷは、トップゲート型ＴＦＴ或いはボトムゲート型ＴＦＴのいずれであっても良い。また、画素スイッチング素子ＰＳＷの半導体層は、例えば、ポリシリコンによって形成されているが、アモルファスシリコンによって形成されていても良い。
【００２６】
画素電極ＰＥは、画素スイッチング素子ＰＳＷに電気的に接続されている。画素電極ＰＥは、ＩＴＯで形成されており、絶縁膜を介して共通電極ＣＥと対向している。共通電極ＣＥ、絶縁膜及び画素電極ＰＥは、保持容量ＣＳを形成している。ゲート線Ｇからの制御信号により画素スイッチング素子ＰＳＷがオンしたとき、ソース選択回路ＭＵＰからソース線Ｓに出力された画素信号が、保持容量ＣＳに書き込まれ保持される。この保持容量ＣＳに生じた電圧に応じて画素電極ＰＥと共通電極ＣＥとの間の液晶ＬＱの光空間変調が実現される。図４では、１つの画素ＰＸを代表して示しているが、図２に示した制御スイッチング素子ＣＳＷ１の１つがオンしたとき、対応するゲート線Ｇに接続されている複数の画素の各画素スイッチング素子ＰＳＷが一斉にオンする。したがって、この各画素スイッチング素子ＰＳＷに接続されている各ソース線Ｓからの画素信号が、対応する各画素ＰＸの保持容量ＣＳに書き込まれる。
【００２７】
図５Ａと図５Ｂは、上記したインセル型のタッチセンサＳＥの基本動作を説明するための図である。  
図５Ａにミューチュアル（相互容量）検出方式のタッチセンサＳＥを示す。複数のタッチ検出素子Ｒｘは、第２基板ＳＵＢ２に第２方向Ｙにストライプ状に形成され、第１基板ＳＵＢ１に共通電極Ｃ（Ｃ１、Ｃ２、Ｃ３、・・・）が形成されている。複数のタッチ検出素子Ｒｘと共通電極Ｃ（Ｃ１、Ｃ２、Ｃ３・・・）とは、交差する関係である。
【００２８】
後述するタッチ検出期間ＷＤＴに共通電極Ｃ１、Ｃ２、Ｃ３、・・・が順次高周波パルス状の駆動信号Ｔｘ１、Ｔｘ２、Ｔｘ３、・・・により駆動される。この期間において、例えば指などの被検知物が近接しているタッチ検出素子Ｒｘからは、他のタッチ検出素子Ｒｘからの出力に比べて、レベルの低い検出信号Ｒｘｓが検出される。これは指が近接しているタッチ検出素子Ｒｘと共通電極との間に生じている第１容量に加えて、当該タッチ検出素子Ｒｘと指との間にも第２容量が発生しているからである。他のタッチ検出素子Ｒｘと共通電極との間には、指による第２容量が生じておらず、第１容量のみである。
【００２９】
上記の共通電極Ｃ１、Ｃ２、Ｃ３、・・・の駆動タイミングと、レベルの低い検出信号Ｒｘｓを出力したタッチ検出素子Ｒｘの位置とから、指の座標位置を判定することができる。  
図５Ｂは、共通電極Ｃ（Ｃ１、Ｃ２、Ｃ３、・・・）が駆動信号Ｔｘ１、Ｔｘ２、Ｔｘ３、・・・により駆動されるときのタイミングチャートを示している。図５Ｂに示すように、１フレーム期間内が複数の表示期間ＤＷＴ（画素信号ＳｉｇＸの書き込み期間も含む）に分割されており、表示期間ＤＷＴと表示期間ＤＷＴの間に、タッチ検出期間ＴＤＴ（この期間は、非表示期間ＴＤＴと称しても良い）が設定されている。タッチ検出期間ＴＤＴでは、共通電極Ｃ（Ｃ１、Ｃ２、Ｃ３、・・・）が駆動信号Ｔｘ１、Ｔｘ２、Ｔｘ３、・・・により駆動される。なお、図５Ｂでは、最初のタッチ検出期間ＴＤＴでは、共通電極Ｃが駆動信号Ｔｘ１により駆動され、２番目のタッチ検出期間ＴＤＴでは、共通電極Ｃが駆動信号Ｔｘ２により駆動され、ｎ番目のタッチ検出期間ＴＤＴでは、共通電極Ｃが駆動信号Ｔｘｎにより駆動される場合について例示した。しかしながら、共通電極Ｃは、各タッチ検出期間ＴＤＴにおいて、駆動信号Ｔｘ１〜Ｔｘｎが順次入力されることにより駆動されるとしてもよい。すなわち、最初のタッチ検出期間ＴＤＴでは、共通電極Ｃは順次入力される駆動信号Ｔｘ１〜Ｔｘｎにより駆動され、２番目のタッチ検出期間ＴＤＴにおいても、共通電極Ｃは順次入力される駆動信号Ｔｘ１〜Ｔｘｎにより駆動され、ｎ番目のタッチ検出期間ＴＤＴにおいても、共通電極Ｃは順次入力される駆動信号Ｔｘ１〜Ｔｘｎにより駆動されるとしてもよい。
【００３０】
図５Ｂに示すように表示期間ＤＷＴとタッチ検出期間ＴＤＴは、１フレーム内の複数個所に分散している。インセル型のタッチセンサＳＥの基本構成及び動作は、上記した通りである。
【００３１】
次に、図６を参照して、ＩＣチップである液晶ドライバＩＣ１の内部のブロック構成例を具体的に説明する。  
図６において、アプリケーションプロセッサＨＯＳからの映像データは、インタフェースレシーバ２０１を介して、映像メモリ２０２に入力される。映像メモリ２０２から読み出された映像データは、ラインラッチ回路２０３にラッチされる。ラインラッチ回路２０３は、液晶表示パネルＬＣＤの１ライン或いは複数ライン分の映像データをラッチすることができる。
【００３２】
ラインラッチ回路２０３から読み出された各画素ＰＸに対応する映像データは、ソース増幅器２０４にてデジタルアナログ変換され、増幅器によりガンマ補正などを施されて画素信号となる。この画素信号が液晶表示パネルＬＣＤの画素アレイ部２４０ａに配列されている画素ＰＸに書き込まれる。具体的には、図２で示したソース選択回路ＭＵＰを介して表示領域ＤＡに２次元配列されている画素ＰＸに入力される。そして、画素信号が、図４で説明した保持容量ＣＳに書き込まれる。
【００３３】
上記の映像メモリ２０２、ラインラッチ回路２０３、ソース増幅器２０４などのブロックをまとめて映像データ処理部２４１と称しても良い。  
さらにまた、アプリケーションプロセッサＨＯＳからの同期信号、コマンドなどは、インタフェースレシーバ２０１により取り込まれる。インタフェースレシーバ２０１により取り込まれた同期信号は、タイミングコントローラ２１３に入力される。また、インタフェースレシーバ２０１を介して取り込まれたコマンドは、レジスタ（図示せず）に一旦入力されて解釈され、その結果がタイミングコントローラ２１３のタイミングパルス生成などに反映される。なお、上記したインタフェースレシーバ２０１は、アプリケーションプロセッサＨＯＳから送られてくるデジタルデータの外部クロックレートを、内部のデジタルデータのための内部クロックレートに変換している。例えばインタフェースレシーバ２０１の書き込み動作は外部クロックに同期し、読み出し動作は内部クロックに同期している。
【００３４】
タイミングコントローラ２１３は、複数のロジック回路とこのロジック回路を制御するアプリケーションで構成されても良いし、或いはロジック回路及びカウンタなどを備えたハードウェア構成により構成されても良い。タイミングコントローラ２１３は、液晶ドライバＩＣ１の動作モード及び動作シーケンスを設定し、また動作モードの切り替えを行うことができる。動作モードとしては、画素信号が各水平ラインの画素に書き込まれる書き込み期間を含む表示期間ＤＷＴ、及びタッチ検出期間ＴＤＴ（非表示期間）などがある。このために、タイミングコントローラ２１３は、インタフェースレシーバ２０１からの外部水平同期信号ＨＳＹＮＣを参照し、外部水平同期信号ＨＳＹＮＣに同期することができる。そしてタイミングコントローラ２１３は、発振器２１４からの内部クロックに基づいて、各種の動作を実現するために各種のタイミングパルスを生成している。
【００３５】
タイミングコントローラ２１３から出力される表示制御のための各種のタイミングパルスは、映像メモリ２０２、ラインラッチ回路２０３、ソース増幅器２０４、パネル制御信号生成部２２０に入力される。さらにまた、タイミングコントローラ２１３からのセンサ用の各種のタイミングパルスは、タッチ検出素子制御信号生成部２３１、タッチインタフェース２３２にも入力される。
【００３６】
パネル制御信号生成部２２０は、ゲート駆動回路ＧＤ、共通電極駆動回路ＣＤに対する駆動信号を生成し、液晶表示パネルＬＣＤによる映像表示を実現する。  
タッチ検出素子制御信号生成部２３１は、共通電極Ｃに駆動信号Ｔｘ１、Ｔｘ２、Ｔｘ３、・・・を供給する。タッチパネルコントローラＩＣ２とタッチインタフェース２３２とは、電気的に接続され互いの動作タイミングの同期が取られている。すなわち、タッチパネルコントローラＩＣ２は、タッチ検出期間ＴＤＴを把握し、このタッチ検出期間ＴＤＴ内に検出信号Ｒｘｓを受け取ることができる。タッチパネルコントローラＩＣ２は、タッチインタフェース２３２を介して、タッチ検出素子制御信号生成部２３１と交信し、タッチ検出素子制御信号生成部２３１の動作状況（例えば、タッチ検出素子の駆動状況など）を把握している。
【００３７】
上記の構成において、パネル制御信号生成部２２０、タッチ検出素子制御信号生成部２３１、タイミングコントローラ２１３、発振器２４１などのブロックは、まとめて走査駆動部２４２と称されても良い。したがって、走査駆動部２４２は、第２クロック生成部（発振器２１４）を備え、第２クロック生成部のクロックに同期して画素信号及び表示駆動信号を複数の表示素子に時分割的に順次供給して表示走査を行うことができる。さらに走査駆動部２４２は、タッチ検出用の駆動信号をタッチ検出素子に供給する。
【００３８】
また、上記の構成において、タッチインタフェース２３２、タッチパネルコントローラＩＣ２などのブロックは、タッチ検出部２４３と称しても良い。このタッチ検出部２４３は、タッチ検出素子Ｒｘからの検出信号Ｒｘｓをサンプリングすることによりタッチ検出を行うことができる。
【００３９】
液晶ドライバＩＣ１は、内部回路の電源供給部として、レギュレータ２５１及び昇圧回路（チャージポンプと称しても良い）２５２を備えている。レギュレータ２５１は、例えば図７（ａ）に示すように、バッテリＢＡＴＴからの電源供給を受けて、出力アンプ２５１Ａで駆動電圧を生成し安定化出力する。ここで、レギュレータ２５１は、バッテリＢＡＴＴから複数（例えば２つの）の電位電圧を選択的に取り込むことができる。すなわち、レギュレータ２５１は、切替スイッチ２５１Ｂと、出力安定化用の増幅器２５１Ａとを有しており、切替スイッチ２５１Ｂにおいて、制御信号により入力電位を切り替え選択する。レギュレータ２５１から出力される駆動電圧は、インタフェースレシーバ２０１、映像メモリ２０２、ラインラッチ回路２０３、タイミングコントローラ２１３及び発振器２１４に送られる。昇圧回路２５２は、例えばＤＣＤＣコンバータにより構成され、図７（ｂ）に示すように、電源供給をレギュレータ２５１から受けて、昇圧周波数を制御することで直流電圧を予め決められた電圧に昇圧し、これをソース増幅器２０４、パネル制御信号生成部２２０及びタッチ検出素子制御信号生成部２３１に出力する。これにより、液晶ドライバＩＣ１内において、個々の回路ブロックが適切に動作する。  
一般的に、バッテリＢＡＴＴは電源出力回路を含んでおり、この電源出力回路は予め設定された順序でロジック電源、正極側アナログ電源及び負極側アナログ電源を出力するように設計されている。
ここで、本実施形態に係る表示装置では、液晶ドライバＩＣ１に供給される電源の投入順序を監視する。一般的に、この液晶ドライバＩＣ１には、起動時等に複数種の電源が投入されるものとなるが、これら複数種の電源が予め定められた順序ではなく誤った順序で電源が投入されている場合がある。このとき当該液晶ドライバＩＣ１は、当該電源投入順が誤りであることを検出しているにも関わらず、スリープ状態を脱して（スリープアウトして）昇圧動作を開始してしまう場合がある。その結果、液晶ドライバＩＣ１内の各部に不測の大電流が流れてしまい（ラッチアップが生じ）、液晶ドライバＩＣ１が正常に動作しない等の不具合を招く。
【００４０】
そこで、本実施形態では、図６に示したように、液晶ドライバＩＣ１に供給される電源の投入順序を監視するための監視回路２６０が設けられている。なお、本実施形態では、液晶ドライバＩＣ１に供給される電源が、ロジック電源LOGIC（図６ではLと表記する）、正極側アナログ電源ANALOG+（図６ではA+と表記する）及び負極側アナログ電源ANALOG-（図６ではA-と表記する）の３電源である場合を想定する。また、本実施形態では、液晶ドライバＩＣ１に供給される電源の正しい投入順序が、ロジック電源、正極側アナログ電源、負極側アナログ電源の順である場合を想定する。なお、液晶ドライバＩＣ１に供給される電源の正しい投入順序は、上記した順序に限られず、例えば、ロジック電源、負極側アナログ電源、正極側アナログ電源の順であっても良い。但し、ロジック電源が最初に投入されなければならないという点は、変えることができない。
【００４１】
監視回路２６０は、検出回路２６１及び順序回路２６２を備えている。この監視回路２６０は、バッテリＢＡＴＴからロジック電源の供給を受けることにより駆動する。  
検出回路２６１は、液晶ドライバＩＣ１に電源が投入されたことを検出する回路である。具体的には、検出回路２６１は、バッテリＢＡＴＴから（監視回路２６０を駆動させるための）ロジック電源の供給を受けることにより、液晶ドライバＩＣ１の状態が初期状態（不定状態）であるかどうかを判定する。ここでの初期状態とは、液晶ドライバＩＣ１に、ロジック電源、正極側アナログ電源及び負極側アナログ電源のいずれの電源も投入されていない状態を示す。但し、監視回路２６０を駆動するための電源は少なからず必要であるため、監視回路２６０を駆動するための電源が液晶ドライバＩＣ１に供給されていたとしても、液晶ドライバＩＣ１内のその他の各部を駆動するための電源がレギュレータ２５１及び昇圧回路２５２に供給されていない状態であれば、検出回路２６１は液晶ドライバＩＣ１の状態が初期状態であると判定する。
【００４２】
液晶ドライバＩＣ１の状態が初期状態でないと判定された場合、検出回路２６１はリカバー信号（図６ではRCVRと表記する）をアプリケーションプロセッサＨＯＳに出力する。リカバー信号とは、液晶ドライバＩＣ１の状態を初期状態に戻すための信号（換言すると、液晶ドライバＩＣ１の状態を初期状態に戻すようバッテリＢＡＴＴに指示する信号）である。すなわち、リカバー信号は、アプリケーションプロセッサＨＯＳを介して、バッテリＢＡＴＴによる液晶ドライバＩＣ１への電源供給を停止させ、液晶ドライバＩＣ１の状態を初期状態に戻すための信号である。
【００４３】
順序回路２６２は、検出回路２６１により液晶ドライバＩＣ１の状態が初期状態であると判定された後に、液晶ドライバＩＣ１に供給される電源の投入順序の監視を行う。具体的には、順序回路２６２は、液晶ドライバＩＣ１に供給される電源が、ロジック電源、正極側アナログ電源、負極側アナログ電源の順に投入されているかどうかを監視する。液晶ドライバＩＣ１に供給される電源が、ロジック電源、正極側アナログ電源、負極側アナログ電源の順に投入された場合（換言すると、正しい順序で電源が投入された場合）、順序回路２６２は、アプリケーションプロセッサＨＯＳ及びインタフェースレシーバ２０１に許可信号（イネーブル信号と称しても良い）を出力する。許可信号とは、コマンドの供給（発行）及びコマンドの受け付け（取り込み）を許可するための信号である。すなわち、アプリケーションプロセッサＨＯＳは、順序回路２６２から出力された許可信号を受けると、スリープ状態を脱して昇圧動作を開始するためのコマンドをインタフェースレシーバ２０１に向けて発行する。また、インタフェースレシーバ２０１は、順序回路２６２から出力された許可信号を受けると、アプリケーションプロセッサＨＯＳから発行されたコマンドの取り込みを開始する。つまり、順序回路２６２から出力される許可信号を受けていない状態では、アプリケーションプロセッサＨＯＳは、上記したコマンドをインタフェースレシーバ２０１に対して発行しないし、アプリケーションプロセッサＨＯＳが動作不具合を起こし、アプリケーションプロセッサＨＯＳから上記したコマンドが発行されたとしても、インタフェースレシーバ２０１はこのコマンドの取り込みを開始しない。
【００４４】
一方で、液晶ドライバＩＣ１に供給される電源が、ロジック電源、正極側アナログ電源、負極側アナログ電源の順に投入されない場合（換言すると、誤った順序で電源が投入された場合）、順序回路２６２は、リカバー信号をアプリケーションプロセッサＨＯＳに出力する。ここでのリカバー信号は、上記したリカバー信号とは異なり、液晶ドライバＩＣ１の状態を初期状態に戻すための信号ではなく、液晶ドライバＩＣ１に正しい順序で電源を投入させるために、液晶ドライバＩＣ１の状態を誤った順序で電源が投入される前の状態に戻すための信号である。例えば、液晶ドライバＩＣ１に対してロジック電源が投入された後に、負極側アナログ電源が投入された場合、順序回路２６２からアプリケーションプロセッサＨＯＳにリカバー信号が出力されることで、バッテリＢＡＴＴによる液晶ドライバＩＣ１への負極側アナログ電源の供給を停止させることができる。すなわち、液晶ドライバＩＣ１の状態を負極側アナログ電源が投入される前の状態に戻すことができる。
【００４５】
ここで、図８のフローチャート及び図９のタイミングチャートを参照して、監視回路２６０の動作の一例について説明する。図８は、監視回路２６０の動作の一例を説明するためのフローチャートであり、図９は、監視回路２６０の動作の一例を説明するためのタイミングチャートである。ここでは、監視回路２６０に対して、監視回路２６０を駆動するためのロジック電源がバッテリＢＡＴＴから供給されていることを前提とする。
【００４６】
図８において、ステップＳ１〜ステップＳ３は、初期の異常の有無状態を監視し、ステップＳ４〜ステップＳ８は、ロジック電源、正極側アナログ電源及び負極側アナログ電源の投入順序を監視している。まず、監視回路２６０内の検出回路２６１は、液晶ドライバＩＣ１の状態が初期状態であるかどうかを確認するために、液晶ドライバＩＣ１に対する正極側アナログ電源がバッテリＢＡＴＴから投入されているかどうかを判定する（ステップＳ１）。液晶ドライバＩＣ１に対して、正極側アナログ電源が投入されていると判定された場合（ステップＳ１のＹＥＳ）、検出回路２６１は、液晶ドライバＩＣ１の状態を初期状態に戻すために、リカバー信号をアプリケーションプロセッサＨＯＳに出力し（ステップＳ２）、バッテリＢＡＴＴによる（監視回路２６０を駆動させるためのロジック電源を除いた）液晶ドライバＩＣ１への電源供給を停止させる。その後、上記したステップＳ１の処理を再度実行する。なお、ここでは、液晶ドライバＩＣ１に対して、正極側アナログ電源が投入されていると判定された場合、上記したステップＳ２の処理を実行した後に、上記したステップＳ１の処理を再度実行する場合について説明したが、上記したステップＳ２の処理の後に、後述するステップＳ４の処理に進むとしても良い。
【００４７】
液晶ドライバＩＣ１に対して、正極側アナログ電源が投入されていないと判定された場合（ステップＳ１のＮＯ）、検出回路２６１は、ステップＳ１と同様に、液晶ドライバＩＣ１の状態が初期状態であるかどうかを確認するために、液晶ドライバＩＣ１に対する負極側アナログ電源がバッテリＢＡＴＴから投入されているかどうかを判定する（ステップＳ３）。液晶ドライバＩＣ１に対して、負極側アナログ電源が投入されていると判定された場合（ステップＳ３のＹＥＳ）、検出回路２６１は、液晶ドライバＩＣ１の状態を初期状態に戻すために、上記したステップＳ２の処理を実行し、バッテリＢＡＴＴによる液晶ドライバＩＣ１への電源供給を停止させた後に、上記したステップＳ１の処理を再度実行する。なお、ここでは、液晶ドライバＩＣ１に対して、負極側アナログ電源が投入されていると判定された場合、上記したステップＳ２の処理を実行した後に、上記したステップＳ１の処理を再度実行する場合について説明したが、上記したステップＳ２の処理の後に、後述するステップＳ４の処理に進むとしても良い。
【００４８】
液晶ドライバＩＣ１に対して、負極側アナログ電源が投入されていないと判定された場合（ステップＳ３のＮＯ）、検出回路２６１は、液晶ドライバＩＣ１の状態が初期状態であると判定（検出）する。すなわち、検出回路２６１は、図９中のPOWER（電源）がGNDの状態であると検出する。液晶ドライバＩＣ１の状態が初期状態であることが確認された後に、検出回路２６１によりバッテリＢＡＴＴによる電源供給が検出されると、順序回路２６２は、バッテリＢＡＴＴから液晶ドライバＩＣ１に対して投入された電源がロジック電源であるかどうかを判定する（ステップＳ４）。液晶ドライバＩＣ１に対して投入された電源がロジック電源でないと判定された場合（ステップＳ４のＮＯ）、順序回路２６２は、液晶ドライバＩＣ１の状態を初期状態に戻すために、リカバー信号をアプリケーションプロセッサＨＯＳに出力し（ステップＳ５）、バッテリＢＡＴＴによる液晶ドライバＩＣ１への電源供給を停止させる。その後、上記したステップＳ４の処理を再度実行する。
【００４９】
液晶ドライバＩＣ１に対して投入された電源がロジック電源であると判定された場合（ステップＳ４のＹＥＳ）、順序回路２６２は、液晶ドライバＩＣ１に対して、現段階までは正しい順序で電源が投入されていると判定する。すなわち、順序回路２６２は、図９中のPOWERにおいて、LOGICに関するPOWER（ロジック電源）が最初にオフ（GND）からオンの状態に移行し、ロジック電源が投入されているかどうかを示す信号（図９中のENA_L）が最初にオフからオン（換言すると、０から１或いはLOWからHIGH）の状態に移行した場合、現段階までは正しい順序で電源が投入されていると判定する。
【００５０】
液晶ドライバＩＣ１に対してロジック電源が最初に投入されたことが確認された後に、検出回路２６１によりバッテリＢＡＴＴによる更なる電源供給が検出されると、順序回路２６２は、バッテリＢＡＴＴから液晶ドライバＩＣ１に対して投入された電源が正極側アナログ電源であるかどうかを判定する（ステップＳ６）。液晶ドライバＩＣ１に対して投入された電源が正極側アナログ電源でないと判定された場合（ステップＳ６のＮＯ）、順序回路２６２は、液晶ドライバＩＣ１の状態をロジック電源だけが投入された状態に戻すために、リカバー信号をアプリケーションプロセッサＨＯＳに出力し（ステップＳ７）、バッテリＢＡＴＴによる液晶ドライバＩＣ１へのロジック電源以外の供給を停止させる。その後、上記したステップＳ６の処理を再度実行する。
【００５１】
なお、本実施形態では、上記したステップＳ７では液晶ドライバＩＣ１の状態をロジック電源だけが投入された状態に戻すために、リカバー信号がアプリケーションプロセッサＨＯＳに出力されるとしたが、例えば、液晶ドライバＩＣ１の状態を初期状態に戻すためのリカバー信号がアプリケーションプロセッサＨＯＳに出力されても良い。この場合、上記したステップＳ７の処理の後に、上記したステップＳ６の処理ではなく、上記したステップＳ４の処理が再度実行される。
【００５２】
液晶ドライバＩＣ１に対して投入された電源が正極側アナログ電源であると判定された場合（ステップＳ６のＹＥＳ）、順序回路２６２は、液晶ドライバＩＣ１に対して、現段階までは正しい順序で電源が投入されていると判定する。すなわち、順序回路２６２は、図９中のPOWERにおいて、ANALOG+に関するPOWER（正極側アナログ電源）がLOGICに関するPOWERに続いてオフ（GND）からオンの状態に移行し、正極側アナログ電源が投入されているかどうかを示す信号（図９中のENA_A+）が図９中のENA_Lに続いてオフからオン（換言すると、０から１或いはLOWからHIGH）の状態に移行した場合、現段階までは正しい順序で電源が投入されていると判定する。
【００５３】
液晶ドライバＩＣ１に対して、ロジック電源が最初に投入され、２番目に正極側アナログ電源が投入されたことが確認された後に、検出回路２６１によりバッテリＢＡＴＴによる更なる電源供給が検出されると、順序回路２６２は、バッテリＢＡＴＴから液晶ドライバＩＣ１に対して投入された電源が負極側アナログ電源であるかどうかを判定する（ステップＳ８）。液晶ドライバＩＣ１に対して投入された電源が負極側アナログ電源でないと判定された場合（ステップＳ８のＮＯ）、順序回路２６２は、液晶ドライバＩＣ１の状態をロジック電源、正極側アナログ電源の順に２つの電源が投入された状態（換言すると、ステップＳ８の処理の直前の状態）に戻すために、リカバー信号をアプリケーションプロセッサＨＯＳに出力し（ステップＳ９）、バッテリＢＡＴＴによる液晶ドライバＩＣ１へのロジック電源及び正極側アナログ電源以外の供給を停止させる。その後、上記したステップＳ８の処理を再度実行する。
【００５４】
なお、本実施形態では、上記したステップＳ９では液晶ドライバＩＣ１の状態をロジック電源、正極側アナログ電源の順に２つの電源が投入された状態に戻すために、リカバー信号がアプリケーションプロセッサＨＯＳに出力されるとしたが、例えば、液晶ドライバＩＣ１の状態を初期状態に戻すためのリカバー信号がアプリケーションプロセッサＨＯＳに出力されても良い。この場合、上記したステップＳ９の処理の後に、上記したステップＳ８の処理ではなく、上記したステップＳ４の処理が再度実行される。
【００５５】
液晶ドライバＩＣ１に対して投入された電源が負極側アナログ電源であると判定された場合（ステップＳ８のＹＥＳ）、順序回路２６２は、液晶ドライバＩＣ１に対して、正しい順序で電源が投入されたと判定する。すなわち、順序回路２６２は、図９中のPOWERにおいて、ANALOG-に関するPOWER（負極側アナログ電源）がLOGIC及びANALOG+に関するPOWERに続いてオフ（GND）からオンの状態に移行し、負極側アナログ電源が投入されているかどうかを示す信号（図９中のENA_A-）が図９中のENA_L及びENA_A+に続いてオフからオン（換言すると、０から１或いはLOWからHIGH）の状態に移行した場合、全ての電源が正しい順序で投入されたと判定する。
【００５６】
液晶ドライバＩＣ１に対して、正しい順序で電源が投入されたことが確認されると、順序回路２６２は、アプリケーションプロセッサＨＯＳ及びインタフェースレシーバ２０１に対して、上記した許可信号を出力し（ステップＳ１０）、ここでの一連の処理を終了させる。これにより、インタフェースレシーバ２０１がコマンドを取り込み可能な状態であるかどうかを示す信号（図９中のENA_P）がオフからオン（換言すると、０から１或いはLOWからHIGH）に切り替えられる。  
なお、アプリケーションプロセッサＨＯＳは、同一処理ステップにおいて、リカバー信号を所定回数受け付けた場合、液晶ドライバＩＣ１が各種コマンドを取り込むことができない状態であることをユーザに通知するために、特定の異常音をスピーカから出力しても良いし、特定の発光素子を点滅させても良い。
また、ここでは、液晶ドライバＩＣ１に供給される電源の正しい投入順序が、ロジック電源、正極側アナログ電源、負極側アナログ電源の順序である場合について説明したが、電源の正しい投入順序は、ロジック電源、負極側アナログ電源、正極側アナログ電源の順序であってもよい。この場合、上記したステップＳ６の処理の代わりに上記したステップＳ８の処理が順序回路２６２によって実行され、ステップＳ８の処理の代わりにステップＳ６の処理が順序回路２６２によって実行される。このように、負極側アナログ電源が投入された後に正極側アナログ電源が投入されることを電源の正しい投入順序とすることで、正極側アナログ電源が投入された後に負極側アナログ電源が投入される場合に比べて、過電流が流れるパスを少なくすることができるという利点を得ることができる。
更に、ここでは、液晶ドライバＩＣ１に供給される電源の正しい投入順序が、ロジック電源、正極側アナログ電源、負極側アナログ電源の順序であり、順序回路２６２が、投入された電源がいずれの電源であるかを順に判定するとしたが（すなわち、ステップＳ４，Ｓ６，Ｓ８の処理を順に実行するとしたが）、投入された電源がロジック電源であるか否かを判定する処理、つまり、上記したステップＳ４の処理は省略されても構わない。この場合、上記したステップＳ４の処理の省略に伴い、上記したステップＳ５の処理も省略される。これによれば、ロジック電源が投入されているか否かを判定することにより稀に生じ得る不定状態に起因した動作不良をなくすことができるという利点を得ることができる。
【００５７】
以上説明した第１の実施形態によれば、液晶ドライバＩＣ１は、正しい順序で電源が投入された場合にだけ、アプリケーションプロセッサＨＯＳによるコマンドの供給（発行）を可能にする、及び、インタフェースレシーバ２０１によるコマンドの取り込みを可能にするための許可信号を出力可能な監視回路２６０を備えている。これにより、液晶ドライバＩＣ１においてラッチアップが生じることを防ぐことができ、ひいては、液晶ドライバＩＣ１が正常に動作しない等の不具合を減らすことができる。
【００５８】
＜第２の実施形態＞  
次に、第２の実施形態について説明する。第２の実施形態は、第１の実施形態とは異なり、バッテリＢＡＴＴから液晶ドライバＩＣ１に供給される電源の種類が、ロジック電源、正極側アナログ電源及び負極側アナログ電源の３電源ではなく、図１０に示すように、ロジック電源、第１の正極側アナログ電源、第２の正極側アナログ電源、第１の負極側アナログ電源及び第２の負極側アナログ電源の５電源である場合について説明する。なお、監視回路２６０の基本的な構成及び機能は、第１の実施形態と同様であるため、ここではその詳しい説明は省略する。以下では、主に、バッテリＢＡＴＴから液晶ドライバＩＣ１に供給される電源が上記した５電源である場合の監視回路２６０の動作について説明する。
【００５９】
図１１は、第２の実施形態に係る監視回路２６０の動作の一例を説明するためのフローチャートであり、図１２は、第２の実施形態に係る監視回路２６０の動作の一例を説明するためのタイミングチャートである。なお、本実施形態では、液晶ドライバＩＣ１に供給される電源の正しい投入順序が、ロジック電源、第１の正極側アナログ電源、第２の正極側アナログ電源、第１の負極側アナログ電源、第２の負極側アナログ電源の順である場合を想定する。
【００６０】
まず、監視回路２６０内の検出回路２６１は、液晶ドライバＩＣ１の状態が初期状態であるかどうかを確認するために、液晶ドライバＩＣ１に対して第１の正極側アナログ電源が投入されているかどうかを判定する（ステップＳ１１）。液晶ドライバＩＣ１に対して、第１の正極側アナログ電源が投入されていると判定された場合（ステップＳ１１のＹＥＳ）、検出回路２６１は、液晶ドライバＩＣ１の状態を初期状態に戻すために、リカバー信号をアプリケーションプロセッサＨＯＳに出力し（ステップＳ１２）、バッテリＢＡＴＴによる（監視回路２６０を駆動させるためのロジック電源を除いた）液晶ドライバＩＣ１への電源供給を停止させる。その後、上記したステップＳ１１の処理を再度実行する。
【００６１】
液晶ドライバＩＣ１に対して、第１の正極側アナログ電源が投入されていないと判定された場合（ステップＳ１１のＮＯ）、検出回路２６１は、ステップＳ１１と同様に、液晶ドライバＩＣ１の状態が初期状態であるかどうかを確認するために、液晶ドライバＩＣ１に対して第２の正極側アナログ電源が投入されているかどうかを判定する（ステップＳ１３）。液晶ドライバＩＣ１に対して、第２の正極側アナログ電源が投入されていると判定された場合（ステップＳ１３のＹＥＳ）、検出回路２６１は、液晶ドライバＩＣ１の状態を初期状態に戻すために、上記したステップＳ１２の処理を実行し、バッテリＢＡＴＴによる液晶ドライバＩＣ１への電源供給を停止させた後に、上記したステップＳ１１の処理を再度実行する。
【００６２】
液晶ドライバＩＣ１に対して、第２の正極側アナログ電源が投入されていないと判定された場合（ステップＳ１３のＮＯ）、検出回路２６１は、ステップＳ１１やＳ１３と同様に、液晶ドライバＩＣ１の状態が初期状態であるかどうかを確認するために、液晶ドライバＩＣ１に対して第１の負極側アナログ電源が投入されているかどうかを判定する（ステップＳ１４）。液晶ドライバＩＣ１に対して、第１の負極側アナログ電源が投入されていると判定された場合（ステップＳ１４のＹＥＳ）、検出回路２６１は、液晶ドライバＩＣ１の状態を初期状態に戻すために、上記したステップＳ１２の処理を実行し、バッテリＢＡＴＴによる液晶ドライバＩＣ１への電源供給を停止させた後に、上記したステップＳ１１の処理を再度実行する。
【００６３】
液晶ドライバＩＣ１に対して、第１の負極側アナログ電源が投入されていないと判定された場合（ステップＳ１４のＮＯ）、検出回路２６１は、ステップＳ１１やＳ１３、Ｓ１４と同様に、液晶ドライバＩＣ１の状態が初期状態であるかどうかを確認するために、液晶ドライバＩＣ１に対して第２の負極側アナログ電源が投入されているかどうかを判定する（ステップＳ１５）。液晶ドライバＩＣ１に対して、第２の負極側アナログ電源が投入されていると判定された場合（ステップＳ１５のＹＥＳ）、検出回路２６１は、液晶ドライバＩＣ１の状態を初期状態に戻すために、上記したステップＳ１２の処理を実行し、バッテリＢＡＴＴによる液晶ドライバＩＣ１への電源供給を停止させた後に、上記したステップＳ１１の処理を再度実行する。
【００６４】
液晶ドライバＩＣ１に対して、第２の負極側アナログ電源が投入されていないと判定された場合（ステップＳ１５のＮＯ）、検出回路２６１は、液晶ドライバＩＣ１の状態が初期状態であると判定（検出）する。すなわち、検出回路２６１は、図１２中のPOWER（電源）がGNDの状態であると検出する。液晶ドライバＩＣ１の状態が初期状態であることが確認された後に、検出回路２６１によりバッテリＢＡＴＴによる電源供給が検出されると、順序回路２６２は、バッテリＢＡＴＴから液晶ドライバＩＣ１に対して投入された電源がロジック電源であるかどうかを判定する（ステップＳ１６）。液晶ドライバＩＣ１に対して投入された電源がロジック電源でないと判定された場合（ステップＳ１６のＮＯ）、順序回路２６２は、液晶ドライバＩＣ１の状態を初期状態に戻すために、リカバー信号をアプリケーションプロセッサＨＯＳに出力し（ステップＳ１７）、バッテリＢＡＴＴによる液晶ドライバＩＣ１への電源供給を停止させる。その後、上記したステップＳ１６の処理を再度実行する。
【００６５】
液晶ドライバＩＣ１に対して投入された電源がロジック電源であると判定された場合（ステップＳ１６のＹＥＳ）、順序回路２６２は、液晶ドライバＩＣ１に対して、現段階までは正しい順序で電源が投入されていると判定する。すなわち、順序回路２６２は、図１２中のPOWERにおいて、LOGICに関するPOWER（ロジック電源）が最初にオフ（GND）からオンの状態に移行し、ロジック電源が投入されているかどうかを示す信号（図１２中のENA_L）が最初にオフからオン（換言すると、０から１或いはLOWからHIGH）の状態に移行した場合、現段階までは正しい順序で電源が投入されていると判定する。
【００６６】
液晶ドライバＩＣ１に対してロジック電源が最初に投入されたことが確認された後に、検出回路２６１によりバッテリＢＡＴＴによる更なる電源供給が検出されると、順序回路２６２は、バッテリＢＡＴＴから液晶ドライバＩＣ１に対して投入された電源が第１の正極側アナログ電源であるかどうかを判定する（ステップＳ１８）。液晶ドライバＩＣ１に対して投入された電源が第１の正極側アナログ電源でないと判定された場合（ステップＳ１８のＮＯ）、順序回路２６２は、液晶ドライバＩＣ１の状態をロジック電源だけが投入された状態に戻すために、リカバー信号をアプリケーションプロセッサＨＯＳに出力し（ステップＳ１９）、バッテリＢＡＴＴによる液晶ドライバＩＣ１へのロジック電源以外の供給を停止させる。その後、上記したステップＳ１８の処理を再度実行する。
【００６７】
液晶ドライバＩＣ１に対して投入された電源が第１の正極側アナログ電源であると判定された場合（ステップＳ１８のＹＥＳ）、順序回路２６２は、液晶ドライバＩＣ１に対して、現段階までは正しい順序で電源が投入されていると判定する。すなわち、順序回路２６２は、図１２中のPOWERにおいて、ANALOG1+に関するPOWER（第１の正極側アナログ電源）がLOGICに関するPOWERに続いてオフ（GND）からオンの状態に移行し、第１の正極側アナログ電源が投入されているかどうかを示す信号（図１２中のENA_A1+）が図１２中のENA_Lに続いてオフからオン（換言すると、０から１或いはLOWからHIGH）の状態に移行した場合、現段階までは正しい順序で電源が投入されていると判定する。
【００６８】
液晶ドライバＩＣ１に対して、ロジック電源が最初に投入され、２番目に第１の正極側アナログ電源が投入されたことが確認された後に、検出回路２６１によりバッテリＢＡＴＴによる更なる電源供給が検出されると、順序回路２６２は、バッテリＢＡＴＴから液晶ドライバＩＣ１に対して投入された電源が第２の正極側アナログ電源であるかどうかを判定する（ステップＳ２０）。液晶ドライバＩＣ１に対して投入された電源が第２の正極側アナログ電源でないと判定された場合（ステップＳ２０のＮＯ）、順序回路２６２は、液晶ドライバＩＣ１の状態をロジック電源、第１の正極側アナログ電源の順に２つの電源が投入された状態（換言すると、ステップＳ２０の処理の直前の状態）に戻すために、リカバー信号をアプリケーションプロセッサＨＯＳに出力し（ステップＳ２１）、バッテリＢＡＴＴによる液晶ドライバＩＣ１へのロジック電源及び第１の正極側アナログ電源以外の供給を停止させる。その後、上記したステップＳ２０の処理を再度実行する。
【００６９】
液晶ドライバＩＣ１に対して投入された電源が第２の正極側アナログ電源であると判定された場合（ステップＳ２０のＹＥＳ）、順序回路２６２は、液晶ドライバＩＣ１に対して、現段階までは正しい順序で電源が投入されていると判定する。すなわち、順序回路２６２は、図１２中のPOWERにおいて、ANALOG2+に関するPOWER（第２の正極側アナログ電源）がLOGIC及びANALOG1+に関するPOWERに続いてオフ（GND）からオンの状態に移行し、第２の正極側アナログ電源が投入されているかどうかを示す信号（図１２中のENA_A2+）が図１２中のENA_L及びENA_A1+に続いてオフからオン（換言すると、０から１或いはLOWからHIGH）の状態に移行した場合、現段階までは正しい順序で電源が投入されていると判定する。
【００７０】
液晶ドライバＩＣ１に対して、ロジック電源が最初に投入され、２番目に第１の正極側アナログ電源が投入され、３番目に第２の正極側アナログ電源が投入されたことが確認された後に、検出回路２６１によりバッテリＢＡＴＴによる更なる電源供給が検出されると、順序回路２６２は、バッテリＢＡＴＴから液晶ドライバＩＣ１に対して投入された電源が第１の負極側アナログ電源であるかどうかを判定する（ステップＳ２２）。液晶ドライバＩＣ１に対して投入された電源が第１の負極側アナログ電源でないと判定された場合（ステップＳ２２のＮＯ）、順序回路２６２は、液晶ドライバＩＣ１の状態を、上記したステップＳ２２の処理の直前の状態に戻すために、リカバー信号をアプリケーションプロセッサＨＯＳに出力し（ステップＳ２３）、バッテリＢＡＴＴによる液晶ドライバＩＣ１へのロジック電源、第１の正極側アナログ電源及び第２の正極側アナログ電源以外の供給を停止させる。その後、上記したステップＳ２２の処理を再度実行する。
【００７１】
液晶ドライバＩＣ１に対して投入された電源が第１の負極側アナログ電源であると判定された場合（ステップＳ２２のＹＥＳ）、順序回路２６２は、液晶ドライバＩＣ１に対して、現段階までは正しい順序で電源が投入されていると判定する。すなわち、順序回路２６２は、図１２中のPOWERにおいて、ANALOG1-に関するPOWER（第１の負極側アナログ電源）がLOGIC、ANALOG1+及びANALOG2+に関するPOWERに続いてオフ（GND）からオンの状態に移行し、第１の負極側アナログ電源が投入されているかどうかを示す信号（図１２中のENA_A1-）が図１２中のENA_L、ENA_A1+及びENA_A2+に続いてオフからオン（換言すると、０から１或いはLOWからHIGH）の状態に移行した場合、現段階までは正しい順序で電源が投入されていると判定する。
【００７２】
液晶ドライバＩＣ１に対して、ロジック電源が最初に投入され、２番目に第１の正極側アナログ電源が投入され、３番目に第２の正極側アナログ電源が投入され、４番目に第１の負極側アナログ電源が投入されたことが確認された後に、検出回路２６１によりバッテリＢＡＴＴによる更なる電源供給が検出されると、順序回路２６２は、バッテリＢＡＴＴから液晶ドライバＩＣ１に対して投入された電源が第２の負極側アナログ電源であるかどうかを判定する（ステップＳ２４）。液晶ドライバＩＣ１に対して投入された電源が第２の負極側アナログ電源でないと判定された場合（ステップＳ２４のＮＯ）、順序回路２６２は、液晶ドライバＩＣ１の状態を、上記したステップＳ２４の処理の直前の状態に戻すために、リカバー信号をアプリケーションプロセッサＨＯＳに出力し（ステップＳ２５）、バッテリＢＡＴＴによる液晶ドライバＩＣ１へのロジック電源、第１の正極側アナログ電源、第２の正極側アナログ電源及び第１の負極側アナログ電源以外の供給を停止させる。その後、上記したステップＳ２４の処理を再度実行する。
【００７３】
液晶ドライバＩＣ１に対して投入された電源が第２の負極側アナログ電源であると判定された場合（ステップＳ２４のＹＥＳ）、順序回路２６２は、液晶ドライバＩＣ１に対して、正しい順序で電源が投入されたと判定する。すなわち、順序回路２６２は、図１２中のPOWERにおいて、ANALOG2-に関するPOWER（第２の負極側アナログ電源）がLOGIC、ANALOG1+、ANALOG2+及びANALOG1-に関するPOWERに続いてオフ（GND）からオンの状態に移行し、第２の負極側アナログ電源が投入されているかどうかを示す信号（図１２中のENA_A2-）が図１２中のENA_L、ENA_A1+、ENA_A2+及びENA_A1-に続いてオフからオン（換言すると、０から１或いはLOWからHIGH）の状態に移行した場合、全ての電源が正しい順序で投入されたと判定する。
【００７４】
液晶ドライバＩＣ１に対して、正しい順序で電源が投入されたことが確認されると、順序回路２６２は、アプリケーションプロセッサＨＯＳ及びインタフェースレシーバ２０１に対して、上記した許可信号を出力し（ステップＳ２６）、ここでの一連の処理を終了させる。これにより、インタフェースレシーバ２０１がコマンドを取り込み可能な状態であるかどうかを示す信号（図１２中のENA_P）がオフからオン（換言すると、０から１或いはLOWからHIGH）に切り替えられる。  
なお、アプリケーションプロセッサＨＯＳは、同一処理ステップにおいて、リカバー信号を所定回数受け付けた場合、液晶ドライバＩＣ１が各種コマンドを取り込むことができない状態であることをユーザに通知するために、特定の異常音をスピーカから出力しても良いし、特定の発光素子を点滅させても良い。
また、ここでは、液晶ドライバＩＣ１に供給される電源の正しい投入順序が、ロジック電源、第１の正極側アナログ電源、第２の正極側アナログ電源、第１の負極側アナログ電源、第２の負極側アナログ電源の順序である場合について説明したが、電源の正しい投入順序は、ロジック電源、第１の負極側アナログ電源、第２の負極側アナログ電源、第１の正極側アナログ電源、第２の正極側アナログ電源の順序であってもよい。この場合、上記したステップＳ１８の処理の代わりに上記したステップＳ２２の処理が順序回路２６２によって実行され、ステップＳ２０の処理の代わりにステップＳ２４の処理が順序回路２６２によって実行され、ステップＳ２２の処理の代わりにステップＳ１８の処理が順序回路２６２によって実行され、ステップＳ２４の処理の代わりにステップＳ２０の処理が順序回路２６２によって実行される。このように、第１及び第２の負極側アナログ電源が投入された後に第１及び第２の正極側アナログ電源が投入されることを電源の正しい投入順序とすることで、第１及び第２の正極側アナログ電源が投入された後に第１及び第２の負極側アナログ電源が投入される場合に比べて、過電流が流れるパスを少なくすることができるという利点を得ることができる。
更に、ここでは、液晶ドライバＩＣ１に供給される電源の正しい投入順序が、ロジック電源、第１の正極側アナログ電源、第２の正極側アナログ電源、第１の負極側アナログ電源、第２の負極側アナログ電源の順序であり、順序回路２６２が、投入された電源がいずれの電源であるかを順に判定するとしたが（すなわち、ステップＳ１６，Ｓ１８，Ｓ２０，Ｓ２２，Ｓ２４の処理を順に実行するとしたが）、投入された電源がロジック電源であるか否かを判定する処理、つまり、上記したステップＳ１６の処理は省略されても構わない。この場合、上記したステップＳ１６の処理の省略に伴い、上記したステップＳ１７の処理も省略される。これによれば、ロジック電源が投入されているか否かを判定することにより稀に生じ得る不定状態に起因した動作不良をなくすことができるという利点を得ることができる。
【００７５】
以上説明した第２の実施形態によれば、バッテリＢＡＴＴが３電源ではなく５電源であったとしても、上記した第１の実施形態と同様に、液晶ドライバＩＣ１においてラッチアップが生じることを防ぐことができ、ひいては、液晶ドライバＩＣ１が正常に動作しない等の不具合を減らすことができる。
＜変形例＞  
ここで、第２の実施形態の変形例について説明する。この変形例においては、図１０に示した構成とは異なり、表示領域ＤＡを２つの領域に分けると共に、それぞれに対して液晶ドライバが配置される、すなわち図１３に示すように、２つの液晶ドライバＩＣ１，ＩＣ１´が配置される２チップ構成を想定している。なお、液晶ドライバＩＣ１´内にも、液晶ドライバＩＣ１と同様に、インタフェースレシーバ３０１、映像メモリ３０２、ラインラッチ回路３０３、ソース増幅器３０４、タイミングコントローラ３１３、発振器３１４、パネル制御信号生成部３２０、タッチ検出素子制御信号生成部３３１、タッチインタフェース３３２、レギュレータ３５１及び昇圧回路３５２等が設けられる。また、２つの液晶ドライバＩＣ１，ＩＣ１´には映像同期インタフェース２１５，３１５がそれぞれ設けられ、これによれば、２つの液晶ドライバＩＣ１，ＩＣ１´の映像データの処理及び映像信号の出力の同期を図ることができる。
図１３に示すような２チップ構成の場合、監視回路２６０は、２つの液晶ドライバＩＣ１，ＩＣ１´の外部に設けるか、或いは、２つの液晶ドライバＩＣ１，ＩＣ１´のうちの一方にだけ設ければよい。なお、図１３では、監視回路２６０が２つの液晶ドライバＩＣ１，ＩＣ１´の外部に設けられている場合を図示している。
監視回路２６０が２つの液晶ドライバＩＣ１，ＩＣ１´の外部に設けられている場合、第１の液晶ドライバＩＣ１には、図１３に示すように、ロジック電源、第１の正極側アナログ電源及び第１の負極側アナログ電源がバッテリＢＡＴＴから供給される。また、第２の液晶ドライバＩＣ１´には、図１３に示すように、ロジック電源、第２の正極側アナログ電源及び第２の負極側アナログ電源がバッテリＢＡＴＴから供給される。
一方で、監視回路２６０が２つの液晶ドライバＩＣ１，ＩＣ１´のうちの液晶ドライバＩＣ１にだけ設けられている場合、第１の液晶ドライバＩＣ１には、ロジック電源、第１の正極側アナログ電源及び第１の負極側アナログ電源がバッテリＢＡＴＴから直接供給される。また、第２の液晶ドライバＩＣ１´には、ロジック電源、第２の正極側アナログ電源及び第２の負極側アナログ電源が第１の液晶ドライバＩＣ１を介して間接的に供給される。
上記したようにして各種電源が供給されることにより、監視回路２６０はいずれの場合であっても、各種電源の投入順序を監視することができる。すなわち、監視回路２６０は、図１１に示した処理と同じ処理を実行することができる。これによれば、図１３に示すような２チップ構成であったとしても、上記した第２の実施形態と同様な効果を得ることができる。
【００７６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７７】
ＩＣ１…液晶ドライバ、ＩＣ２…タッチパネルコントローラ、ＢＡＴＴ…バッテリ、ＨＯＳ…アプリケーションプロセッサ、２０１…インタフェースレシーバ、２０２…映像メモリ、２０３…ラインラッチ回路、２０４…ソース増幅器、２１３…タイミングコントローラ、２１４…発振器、２２０…パネル制御信号生成部、２３１…タッチ検出素子制御信号生成部、２３２…タッチインタフェース、２５１…レギュレータ、２５２…昇圧回路、２６０…監視回路、２６１…検出回路、２６２…順序回路。
【図１】
2017009853.tif 000003
【図２】
2017009853.tif 000004
【図３】
2017009853.tif 000005
【図４】
2017009853.tif 000006
【図５Ａ】
2017009853.tif 000007
【図５Ｂ】
2017009853.tif 000008
【図６】
2017009853.tif 000009
【図７】
2017009853.tif 000010
【図８】
2017009853.tif 000011
【図９】
2017009853.tif 000012
【図１０】
2017009853.tif 000013
【図１１】
2017009853.tif 000014
【図１２】
2017009853.tif 000015
【図１３】
2017009853.tif 000016